(57)【要約】【課題】カップホルダ（オプションユニット）の設置効率の向上を図ることができる什器を提供する。【解決手段】本発明の一態様に係る連結椅子１０は、上下方向に延びる背裏板７１と、背裏板７１に前後方向に対向して配置され、背裏板７１との間に上方に開口する第１隙間Ｓ１を形成する背パッド７２と、第１隙間Ｓ１に上方から挿入され、背裏板７１と背パッド７２との間に挟持された状態で係合されるオプションユニット１７Ａと、を備えている。【選択図】図６
2020178931.tif 000002
【特許請求の範囲】
【請求項１】
上下方向に延びる起立部材と、
上下方向に交差する第１方向において前記起立部材に対向して配置され、前記起立部材との間に上方に開口する第１隙間を形成する対向部材と、
前記第１隙間に上方から挿入され、前記起立部材と前記対向部材との間に挟持された状態で係合されるオプションユニットと、を備えている什器。
【請求項２】
前記オプションユニットは、
前記起立部材及び前記対向部材との間に挟持される第１部位を有する支持部材と、
前記支持部材の第２部位に設けられ、物品を支持する物品支持部と、を備えている請求項１に記載の什器。
【請求項３】
前記第１部位は、上下方向から見た平面視で前記第１方向に交差する第２方向に沿って延び、
前記第２部位は、前記第１部位に対して前記第１方向に屈曲し、前記起立部材の側方に配置され、
前記物品支持部は、前記起立部材を間に挟んで前記第１部位とは反対側に位置している請求項２に記載の什器。
【請求項４】
上下方向から見た平面視で前記第１方向に交差する第２方向において、前記起立部材に対して隣り合って配置されるとともに、前記起立部材との間に上方に開口する第２隙間を形成する隣接部材を備え、
前記第２部位は、前記第２隙間内で前記起立部材と前記隣接部材との間に挟持されている請求項２又は請求項３に記載の什器。
【請求項５】
前記起立部材は、前記オプションユニットを下方から支持する下方規制部を備えている請求項１から請求項４の何れか１項に記載の什器。
【請求項６】
前記下方規制部は、床面から起立する支持構造体に接続されている請求項５に記載の什器。
【請求項７】
前記対向部材は、
前記起立部材に支持された芯材と、
前記芯材を覆い、前記オプションユニットを前記対向部材に向けて弾性的に押圧する押圧部材と、を備えている請求項１から請求項６の何れか１項に記載の什器。
【請求項８】
前記対向部材は、着座者の背中を支持する背パッドあり、
前記起立部材は、前記背パッドを後方から支持する背裏板を備えている請求項１から請求項７の何れか１項に記載の什器。
【発明の詳細な説明】
【技術分野】
【０００１】
本発明は、什器に関する。
【背景技術】
【０００２】
劇場等の観覧スペースに設置される椅子として、前列席の背凭れ等に後列席の着座者が利用可能なカップホルダが設けられた構成が知られている（例えば、下記特許文献１参照）。下記特許文献１発明において、カップホルダは、前列席における隣り合う背凭れに対してねじによって固定されている。
【先行技術文献】
【特許文献】
【０００３】
【特許文献１】実開平７−１８４６号公報
【発明の概要】
【発明が解決しようとする課題】
【０００４】
上述した従来技術にあっては、カップホルダを設置する際に、カップホルダ１つに対して複数のねじを螺着していく必要がある。そのため、設置効率の向上を図る点で未だ改善の余地があった。
【０００５】
本発明は、カップホルダ（オプションユニット）の設置効率の向上を図ることができる什器を提供することを目的とする。
【課題を解決するための手段】
【０００６】
上記目的を達成するために、本発明の一態様に係る什器は、上下方向に延びる起立部材と、上下方向に交差する第１方向において前記起立部材に対向して配置され、前記起立部材との間に上方に開口する第１隙間を形成する対向部材と、前記第１隙間に上方から挿入され、前記起立部材と前記対向部材との間に挟持された状態で係合されるオプションユニットと、を備えている。
【０００７】
本態様によれば、起立部材と対向部材との間に形成される第１隙間内に上方から差し込むだけで、オプションユニットを什器に取り付けることができる。そのため、従来のようにねじ等によってオプションユニットを取り付ける構成に比べて設置効率の向上を図ることができる。すなわち、オプションユニットを後からでも簡単に設置できるので、什器に対してオプションユニットを取り付ける態様と、取り付けない態様と、を自由に選択し易い。
しかも、起立部材と対向部材との間に形成された第１隙間を利用してオプションユニットを取り付けるので、雌ねじ孔等の専用の取付孔を予め設ける必要がない。そのため、オプションユニットを取り付けない態様であっても、取付孔が目立つことがなく、外観の体裁を向上させることができる。
【０００８】
上記態様の什器において、前記オプションユニットは、前記起立部材及び前記対向部材との間に挟持される第１部位を有する支持部材と、前記支持部材の第２部位に設けられ、物品を支持する物品支持部と、を備えていてもよい。
本態様によれば、支持部材を介して物品支持部が支持されるので、起立部材から張り出した状態で、物品支持部を設けることができる。これにより、オプションユニットの設計自由度等を向上させることができる。
【０００９】
上記態様の什器において、前記第１部位は、上下方向から見た平面視で前記第１方向に交差する第２方向に沿って延び、前記第２部位は、前記第１部位に対して前記第１方向に屈曲し、前記起立部材の側方に配置され、前記物品支持部は、前記起立部材を間に挟んで前記第１部位とは反対側に位置していてもよい。
本態様によれば、第１部位が、起立部材を間に挟んで物品支持部とは反対側に位置する。これにより、物品支持部の使用者から第１部位（オプションユニットの取付位置）が視認されないので、オプションユニットの体裁を向上させることができる。
【００１０】
上記態様の什器において、上下方向から見た平面視で前記第１方向に交差する第２方向において、前記起立部材に対して隣り合って配置されるとともに、前記起立部材との間に上方に開口する第２隙間を形成する隣接部材を備え、前記第２部位は、前記第２隙間内で前記起立部材と前記隣接部材との間に挟持されていてもよい。
本態様によれば、第２部位が起立部材と隣接部材との間に挟持されることで、什器に対するオプションユニットの第２方向の位置決めを行い易くなる。
【００１１】
上記態様の什器において、前記起立部材は、前記オプションユニットを下方から支持する下方規制部を備えていてもよい。
本態様によれば、起立部材に対するオプションユニットの下方移動が規制され、オプションユニットを安定して取り付けることができる。
【００１２】
上記態様の什器において、前記下方規制部は、床面から起立する支持構造体に接続されていてもよい。
本態様によれば、什器の支持構造体に下方規制部が接続されるので、オプションユニットをより安定して支持できる。
【００１３】
上記態様の什器において、前記対向部材は、前記起立部材に支持された芯材と、前記芯材を覆い、前記オプションユニットを前記対向部材に向けて弾性的に押圧する押圧部材と、を備えていてもよい。
本態様によれば、第１隙間内への挿入時には、押圧部材を弾性変形させながらオプションユニットを第１隙間内に差し込むことができる。一方、オプションユニットの取付状態では、押圧部材を介してオプションユニットが起立部材に押し付けられる。これにより、設置効率の低下を抑制しつつ、取付状態での安定性を図ることができる。
【００１４】
上記態様の什器において、前記対向部材は、着座者の背中を支持する背パッドあり、前記起立部材は、前記背パッドを後方から支持する背裏板を備えていてもよい。
本態様によれば、椅子の背凭れに対してオプションユニットを取り付けることで、後列の椅子の着座者に対する利便性を向上させることができる。
【発明の効果】
【００１５】
上記各態様によれば、オプションユニットの設置効率の向上を図ることができる。
【図面の簡単な説明】
【００１６】
【図１】第１実施形態に係る椅子システムの斜視図である。
【図２】第１実施形態に係る連結椅子の正面図である。
【図３】第１実施形態に係る連結椅子を後方から見た斜視図である。
【図４】第１実施形態に係る外装体を取り外した状態を示す脚体の斜視図である。
【図５】第１実施形態に係る第１椅子ユニットの分解斜視図である。
【図６】図３のＶＩ−ＶＩ線に沿う断面図である。
【図７】第１実施形態に係る第１オプションユニットの斜視図である。
【図８】図３のＶＩＩＩ−ＶＩＩＩ線に沿う断面図である。
【図９】第２実施形態に係る連結椅子を示す図であって、連結椅子を後方から見た部分斜視図である。
【図１０】第３実施形態に係る連結椅子の部分斜視図である。
【図１１】実施形態の他の構成に係る連結椅子であって、図６に相当する断面図である。
【図１２】実施形態の他の構成に係る連結椅子であって、図６に相当する断面図である。
【図１３】実施形態の他の構成に係る連結椅子であって、図６に相当する断面図である。
【発明を実施するための形態】
【００１７】
次に、本発明の実施形態を図面に基づいて説明する。以下で説明する各実施形態（及び変形例）において、対応する構成については同一の符号を付して説明を省略する場合がある。
【００１８】
（第１実施形態）
［椅子システム］
図１は、椅子システム１の斜視図である。
図１に示すように、椅子システム１は、劇場や講堂等の観覧スペースに設置される。以下の説明において、前後上下左右等の向きは、正規姿勢で着座した人（着座者）の向きと同一とする。この場合、図中における矢印ＵＰは上方を示し、矢印ＦＲは前方を示し、ＬＨは左方を示している。また、以下の説明では、各構成部材において、前後方向及び左右方向で中心から離間する側を外側といい、中心に向かう側を内側という場合がある。
【００１９】
椅子システム１は、複数の連結椅子（什器）１０が左右方向及び前後方向に間隔をあけて複数配置されて構成されている。各連結椅子１０同士の間には、歩行者の通り抜けスペースＷが確保されている。
【００２０】
＜連結椅子＞
図２は、連結椅子１０の正面図である。図３は、連結椅子１０を後方から見た斜視図である。
図１〜図３に示すように、連結椅子１０は、複数（例えば、３つ）の椅子ユニット１１（１１Ａ〜１１Ｃ）が左右方向に一体に連結されて構成されている。但し、連結椅子１０を構成する椅子ユニット１１の数は、２つであっても、４つ以上であってもよい。また、本発明に係る什器は、椅子ユニット１１単体であってもよい。
【００２１】
連結椅子１０は、脚体（起立部材）１４と、座１５と、背凭れ１６と、オプションユニット（第１オプションユニット１７Ａ及び第２オプションユニット１７１７Ｂ）と、を備えている。
本実施形態の連結椅子１０は、左右方向で隣り合う一対の脚体１４と、一対の脚体１４の間に支持された座１５及び背凭れ１６と、によって１つの椅子ユニット１１を構成している。したがって、本実施形態の連結椅子１０では、３つの椅子ユニット１１Ａ〜１１Ｃに対し、脚体１４が左右方向に間隔をあけて４つ設けられている。
【００２２】
＜脚体＞
図１に示すように、脚体１４は、床面Ｆから上方に起立している。脚体１４は、左右方向を厚さ方向とする板状に形成されている。
【００２３】
図４は、外装体２３を取り外した状態を示す脚体１４の斜視図である。図５は、第１椅子ユニット１１Ａの分解斜視図である。なお、以下の説明では、左右方向に並んだ複数の脚体１４のうち、左右方向の端部に位置する脚体１４以外の脚体１４（以下、中間脚体１４Ａという。）を例にして説明する。但し、左右方向の端部に位置する脚体１４（以下、端部脚体１４Ｂという。）と、中間脚体１４Ａと、を区別する必要がない場合は、まとめて脚体１４として説明する。
図３、図４に示すように、脚体１４は、脚フレーム（支持構造体）２１と、背凭れブラケット（下方規制部）２２と、外装体２３と、肘掛け２４と、を備えている。
【００２４】
図４に示すように、脚フレーム２１は、金属材料等からなる板材等により構成されている。脚フレーム２１は、脚体１４の強度部材として機能する。ベース部３１の下端部は、アンカーボルト等によって床面Ｆに固定されている。脚フレーム２１における上下方向の中央部には、座ブラケット３４が設けられている。
【００２５】
背凭れブラケット２２は、脚フレーム２１の上端部に接続されている。背凭れブラケット２２は、金属材料等からなる板材がプレス成形等によって屈曲されることで、平面視でＬ字状に形成されている。具体的に、背凭れブラケット２２は、脚取付片３５と、背凭れ取付片３６と、を備えている。
脚取付片３５は、左右方向を厚さ方向として、前後方向に延在している。脚取付片３５は、脚フレーム２１に固定されている。脚取付片３５の後端縁は、上方に向かうに従い後方に傾斜して延在している。脚取付片３５の上端縁は、前後方向に沿って床面Ｆと平行に延在している。但し、脚取付片３５の後端縁や上端縁の延在方向は、適宜変更が可能である。
【００２６】
背凭れ取付片３６は、脚取付片３５の後端縁から左右方向に延在している。具体的に、背凭れ取付片３６は、平面視において、脚取付片３５から離間するに従い後方に向けて直線状に延在している。背凭れ取付片３６は、側面視において、脚取付片３５の後端縁に倣って上方に向かうに従い後方に傾斜している。また、背凭れ取付片３６の上端縁は、脚取付片３５の上端縁と同一平面上を左右方向に沿って延在している。
【００２７】
本実施形態において、１つの中間脚体１４Ａに対し、左右方向の両側に向けて２つの背凭れブラケット２２が取り付けられている。また、１つの端部脚体１４Ｂに対し、中間脚体１４Ａに向かう側に向けて１つの背凭れブラケット２２が取り付けられている。
【００２８】
外装体２３は、脚フレーム２１の周囲を取り囲んでいる。図５に示すように、外装体２３は、蹴込部４１と、化粧カバー４２と、を備えている。
蹴込部４１は、脚フレーム２１の下部を全周に亘って取り囲んでいる。
化粧カバー４２は、脚フレーム２１における蹴込部４１よりも上方に位置する部分を全周に亘って取り囲んでいる。化粧カバー４２は、平面視外形が蹴込部４１よりも大きく形成されている。
【００２９】
化粧カバー４２における後壁部の上部には、後方に開口する後部開口（不図示）が形成されている。上述した背凭れブラケット２２は、後部開口を通じて外装体２３の外部に引き出されている。そのため、上述した背凭れ取付片３６は、化粧カバー４２に対して左右方向に張り出している。一方、化粧カバー４２における側壁部の中央部には、側部開口４４が形成されている。上述した座ブラケット３４は、側部開口４４を通じて外装体２３の外部に露出している。
【００３０】
肘掛け２４は、化粧カバー４２を上方から覆った状態で、脚フレーム２１（ベース部３１）の上端部に連結されている。
【００３１】
＜座＞
図１に示すように、座１５は、隣り合う脚体１４間に架け渡された支持軸５５を介して回動可能に支持されている。具体的に、座１５は、骨格部材がクッション材及び表皮に覆われて形成されている。座１５の後端部には、支持軸５５が貫通している。支持軸５５の両端部は、上述した座ブラケット３４（図５参照）にそれぞれ支持されている。座１５は、着座面が上方を向く使用位置と、着座面が後方を向く不使用位置と、の間を支持軸５５回りに回動する。本実施形態において、座１５は、リターンスプリング（不図示）によって不使用位置に向けて付勢される構成であってもよい。
【００３２】
＜背凭れ＞
背凭れ１６は、背裏板（起立部材）７１と、背パッド（対向部材）７２と、を備えている。
背裏板７１は、例えば木材等により形成されている。背裏板７１は、隣り合う脚体１４の後端部同士を架け渡している。図５に示すように、背裏板７１は、左右方向を短手方向とし、上下方向を長手方向とする板状に形成されている。本実施形態において、背裏板７１は、平面視で後方に凸の円弧状に形成されている。但し、背裏板７１は、左右方向に沿って直線状に形成されていてもよい。
【００３３】
背裏板７１における左右方向の両端部には、隣り合う脚体１４に設けられた上述した背凭れ取付片３６がそれぞれ連結されている。背凭れ取付片３６は、ねじ止め等によって背裏板７１に前方から連結されている。
【００３４】
図６は、図３のＶＩ−ＶＩ線に沿う断面図である。
図５、図６に示すように、背パッド７２は、背裏板７１の前面に着脱可能に取り付けられている。具体的に、背パッド７２は、背凭れフレーム（芯材）８１と、クッション材（押圧部材）８２と、表皮８３と、を備えている。
【００３５】
図６に示すように、背凭れフレーム８１は、正面視外形が背裏板７１よりも小さくなっている。背凭れフレーム８１は、背裏板７１の前面に取り付けられている。なお、背凭れフレーム８１の取付方法は、フック等による係止や、ねじ止め等、適宜選択することができる。
【００３６】
背凭れフレーム８１の外周部分と、背裏板７１と、の間には、前後方向の第１隙間Ｓ１が設けられている。第１隙間Ｓ１は、背凭れフレーム８１のうち、少なくとも左右両端部において、上方及び左右方向の外側に開口していればよい。なお、背凭れフレーム８１の外周部分に段差等を設けて第１隙間Ｓ１を確保してもよい。
【００３７】
クッション材８２は、背凭れフレーム８１を前方及び左右両側から覆うように設けられている。クッション材８２は、弾性変形可能な材料（例えば、ウレタンフォーム等）により形成されている。本実施形態において、クッション材８２の外周端部は、背凭れフレーム８１の外側を回り込んで、上述した第１隙間Ｓ１内に進入している。したがって、クッション材８２の外周端部は、背裏板７１の前面に前方から近接又は当接している。そのため、クッション材８２の外周端部を弾性変形させることで、第１隙間Ｓ１が広がるようになっている。
【００３８】
表皮８３は、背パッド７２の外表面を構成する。表皮８３は、クッション材８２を覆っている。表皮８３の外周端部は、タッカー等によって背凭れフレーム８１の後面におけるクッション材８２よりも内周側に位置する部分に固定されている。なお、表皮８３は、布材、ビニールレザー材、天然レザー材等により形成されている。
【００３９】
＜オプションユニット＞
図３に示すように、オプションユニット１７Ａ，１７Ｂは、例えばカップホルダである。本実施形態のオプションユニット１７Ａ，１７Ｂは、隣り合う椅子ユニット１１の間にそれぞれ設けられている。具体的に、オプションユニット１７Ａ，１７Ｂは、第１椅子ユニット１１Ａと第２椅子ユニット１１Ｂとの間に設けられた第１オプションユニット１７Ａ、及び第２椅子ユニット１１Ｂと第３椅子ユニット１１Ｃとの間に設けられた第２オプションユニット１７Ｂである。以下の説明では、第１オプションユニット１７Ａについて主に説明する。
【００４０】
図７は、第１オプションユニット１７Ａの斜視図である。
図７に示すように、第１オプションユニット１７Ａは、後列の第１椅子ユニット１１Ａに着座した着座者の飲料容器等を収容可能に構成されている。第１オプションユニット１７は、ステー（支持部材）１１０と、ホルダ（物品支持部）１１１と、を備えている。
【００４１】
図６、図７に示すように、ステー１１０は、金属材料からなる板材がクランク状（平面視Ｚ字状）に折り曲げられて形成されている。ステー１１０は、背裏板７１と背パッド７２との間に形成された第１隙間Ｓ１に対して上方から挿入されることで、背裏板７１と背パッド７２との間に前後方向で挟持されている。具体的に、ステー１１０は、差込片（第１部位）１２０と、突出片（第２部位）１２１と、ホルダ連結片（第２部位）１２２と、を備えている。
【００４２】
差込片１２０は、背裏板７１の前面に概ね沿うようにして左右方向に延在している。差込片１２０は、第１椅子ユニット１１Ａの第１隙間Ｓ１内において、背裏板７１と背パッド７２との間に挟持されている。本実施形態において、差込片１２０は、クッション材８２の付勢力によって背裏板７１に押し付けられている。これにより、第１椅子ユニット１１Ａに対する第１オプションユニット１７Ａの前後方向の移動が規制されている。
【００４３】
また、図４に示すように、差込片１２０は、第１隙間Ｓ１内に配置された状態において、上述した背凭れブラケット２２（背凭れ取付片３６）に上方から近接又は当接している。これにより、第１椅子ユニット１１Ａに対する第１オプションユニット１７Ａの下方移動が規制されている。なお、図６に示すように、差込片１２０は、上述した肘掛け２４の後端縁と平面視で重ならない位置に配置される。
【００４４】
突出片１２１は、差込片１２０における左右方向の外側端縁から後方に突出している。突出片１２１は、第１椅子ユニット１１Ａの背裏板７１及び第２椅子ユニット１１Ｂの背裏板（隣接部材）７１の間に形成される第２隙間Ｓ２を通じて椅子ユニット１１Ａ，１１Ｂから後方に突出している。なお、突出片１２１と背裏板７１の側面との間には、スペーサ１２７が介在している。
【００４５】
ホルダ連結片１２２は、突出片１２１の後端縁から左右方向に延在している。具体的に、ホルダ連結片１２２は、左右方向のうち第１椅子ユニット１１Ａから離間する側に延在して、第２椅子ユニット１１Ｂにおける背裏板７１の後方に回り込んでいる。なお、本実施形態のホルダ連結片１２２は、第２椅子ユニット１１Ｂにおける背裏板７１の後面に倣って突出片１２１から離間するに従い後方に向けて延在している。但し、ホルダ連結片１２２は、左右方向に平行に延在していてもよい。
【００４６】
図６、図７に示すように、ホルダ１１１は、ホルダ本体１３１と、ホルダ取付部１３２と、を備えている。
ホルダ本体１３１は、上方に開口する有底筒状に形成されている。ホルダ本体１３１内は、飲料容器等が収容可能に構成されている。ホルダ本体１３１は、底壁部によって飲料容器の下面を支持し、周壁部によって飲料容器の周囲を取り囲んだ状態で、飲料容器を収容する。
【００４７】
ホルダ本体１３１には、スリット１３３が形成されている。スリット１３３は、ホルダ本体１３１の底壁部から周壁部の後部に至る範囲に形成されている。なお、本実施形態のホルダ本体１３１には、周壁部の後部に位置する部分に下方に向けて窪む凹部１３５が形成されている。但し、ホルダ本体１３１は、飲料容器等が収容可能な構成であれば、適宜変更が可能である。
【００４８】
ホルダ取付部１３２は、ホルダ本体１３１の周壁部から前方に突出している。ホルダ取付部１３２は、ホルダ連結片１２２に対し、ねじ止め等により固定されている。これにより、ホルダ１１１は、第２椅子ユニット１１Ｂにおける背裏板７１の後方に間隔をあけて配置されている。図示の例において、ホルダ１１１は、ホルダ連結片１２２の厚さ方向に突出することにより、後列の第１椅子ユニット１１Ａに向けて突出している。
【００４９】
上述したホルダ連結片１２２の前面には、保護部材１３６が設けられている。保護部材１３６は、例えばスポンジ等の弾性変形可能な材料により構成されている。保護部材１３６は、ホルダ連結片１２２の前面において、ステー１１０とホルダ１１１との連結部分１４０（例えば、ナット）の周辺を取り囲んでいる。これにより、連結部分と背裏板７１等との接触を抑制している。
【００５０】
図８は、図３のＶＩＩＩ−ＶＩＩＩ線に沿う断面図である。
図８に示すように、第２オプションユニット１７Ｂは、１つのステー１１０に対して２つのホルダ１１１，１３８が支持されている。第２オプションユニット１７Ｂは、上述した第１オプションユニット１７Ａと同一の構成に加え、分岐ステー（支持部材）１３７及びホルダ（物品支持部）１３８を備えている。なお、以下の説明では、第１オプションユニット１７Ａと同一の構成については、第１オプションユニット１７Ａと同一の符号を付して説明を省略する。
【００５１】
分岐ステー１３７は、上述したステー１１０に接続されている。分岐ステー１３７は、平面視でＬ字状に形成されている。具体的に、分岐ステー１３７は、突出片１４１と、ホルダ接続片１４２と、を備えている。
【００５２】
突出片１４１は、上述したステー１１０の突出片１２１に左右方向で重ね合わされた状態で連結されている。突出片１４１は、上述した第２隙間Ｓ２内において、隣り合う椅子ユニット１１の背裏板７１同士の間に挟持されている。
ホルダ接続片１４２は、突出片１４１の後端縁から左右方向に延在している。本実施形態のホルダ接続片１４２は、左右方向において第３椅子ユニット１１Ｃから離間する側に延在している。
【００５３】
ホルダ１３８は、ホルダ本体１４５及びホルダ取付部１４６を備えている。ホルダ取付部１４６は、ホルダ接続片１４２に対し、ねじ止め等によって取り付けられている。
【００５４】
次に、上述したオプションユニット１７Ａ，１７Ｂの取付方法について説明する。本実施形態では、予め連結椅子１０が設置された状態において、第１オプションユニット１７Ａを後付けする場合について説明する。
第１オプションユニット１７Ａは、第１椅子ユニット１１Ａ及び第２椅子ユニット１１Ｂの間に上方から組み付けられる。具体的には、第１椅子ユニット１１Ａにおける第１隙間Ｓ１内に差込片１２０を進入させるとともに、第１椅子ユニット１１Ａ及び第２椅子ユニット１１Ｂの間の第２隙間Ｓ２に突出片１２１を進入させる。ステー１１０が隙間Ｓ１，Ｓ２内に進入した状態で、ステー１１０を下方に押し込む。この際、ステー１１０が背凭れブラケット２２に上方から近接又は当接する位置まで押し込む。
【００５５】
これにより、ステー１１０のうち、差込片１２０が第１椅子ユニット１１Ａの背裏板７１と背パッド７２との間に前後方向で挟持され、かつ突出片１２１が第１椅子ユニット１１Ａ及び第２椅子ユニット１１Ｂの背裏板７１間に左右方向で挟持された状態で、第１オプションユニット１７Ａが取り付けられる。
【００５６】
このように、本実施形態では、第１オプションユニット１７Ａが、背裏板７１と背パッド７２との間に形成される第１隙間Ｓ１内に上方から挿入され、背裏板７１と背パッド７２との間に挟持された状態で係合される構成とした。
この構成によれば、背裏板７１と背パッド７２との間に形成される第１隙間Ｓ１内に差し込むだけで、オプションユニット１７Ａ，１７Ｂを連結椅子１０に取り付けることができる。そのため、従来のようにねじ等によってオプションユニットを取り付ける構成に比べて設置効率の向上を図ることができる。すなわち、オプションユニット１７Ａ，１７Ｂを後からでも簡単に設置できるので、連結椅子１０に対してオプションユニット１７Ａ，１７Ｂを取り付ける態様と、取り付けない態様と、を自由に選択し易い。
しかも、背裏板７１と背パッド７２との間に形成された第１隙間Ｓ１を利用してオプションユニット１７Ａ，１７Ｂを取り付けるので、雌ねじ孔等の専用の取付孔を予め設ける必要がない。そのため、オプションユニット１７Ａ，１７Ｂを取り付けない態様であっても、取付孔が目立つことがなく、外観の体裁を向上させることができる。
【００５７】
本実施形態では、ホルダ１１１，１３８がステー１１０を介して支持される構成とした。
この構成によれば、背裏板７１から張り出した状態で、ホルダ１１１，１３８を設けることができる。これにより、オプションユニット１７Ａ，１７Ｂの設計自由度等を向上させることができる。
【００５８】
本実施形態では、ステー１１０の差込片１２０が、背裏板７１を間に挟んでホルダ１１１，１３８とは反対側に位置する構成とした。
この構成によれば、ホルダ１１１，１３８の使用者（後列の連結椅子１０の着座者）から差込片１２０が視認されないので、オプションユニット１７Ａ，１７Ｂの体裁を向上させることができる。
【００５９】
本実施形態では、オプションユニット１７Ａ，１７Ｂを下方から支持する背凭れブラケット２２を備える構成とした。
この構成によれば、椅子ユニット１１に対するオプションユニット１７Ａ，１７Ｂの下方移動が規制され、オプションユニット１７Ａ，１７Ｂを安定して取り付けることができる。
【００６０】
本実施形態では、背凭れブラケット２２が脚フレーム２１に接続される構成とした。
この構成によれば、椅子ユニット１１の支持構造体である脚フレーム２１に背凭れブラケット２２が接続されるので、オプションユニット１７Ａ，１７Ｂをより安定して支持できる。
【００６１】
本実施形態では、ステー１１０が、隣り合う椅子ユニット１１の背裏板７１同士の間を通って背裏板７１の後方に突出する構成とした。
この構成によれば、ステー１１０が隣り合う椅子ユニット１１の背裏板７１間に配置されることで、椅子ユニット１１に対するオプションユニット１７Ａ，１７Ｂの左右方向の位置決めを行い易くなる。
【００６２】
本実施形態では、背パッド７２がステー１１０（差込片１２０）を背裏板７１に向けて押し付けるクッション材８２を備える構成とした。
この構成によれば、隙間Ｓ１内への挿入時には、クッション材８２を弾性変形させながらステー１１０を隙間Ｓ１内に差し込むことができる。一方、オプションユニット１７Ａ，１７Ｂの取付状態では、クッション材８２を介してステー１１０が背裏板７１に押し付けられる。これにより、設置効率の低下を抑制しつつ、取付状態での安定性を図ることができる。
【００６３】
本実施形態では、椅子ユニット１１の背凭れ１６に対してオプションユニット１７Ａ，１７Ｂを取り付けることで、後列の椅子ユニット１１の着座者に対する利便性を向上させることができる。
【００６４】
（第２実施形態）
上述した第１実施形態では、オプションユニット１７Ａ，１７Ｂに飲料容器を収容する構成について説明したが、この構成に限られない。例えば、図９に示すように、オプションユニット１７Ａ，１７Ｂにより、トレー等のサブオプション（オプションユニット）２００を保持する構成であってもよい。
【００６５】
サブオプション２００は、トレー本体２０１と、脚部２０２と、を備えている。
トレー本体２０１は、平板状に形成されている。トレー本体２０１の上面には、例えば弁当や飲料容器等の物品が載置可能とされている。
【００６６】
脚部２０２は、トレー本体２０１における左右両端部から下方に突出している。脚部２０２における上下方向に直交する断面視形状は、例えばホルダ１１１の内径と同等の外径を有する半円形状に形成されている。各脚部２０２における左右方向の距離は、隣り合うホルダ（本実施形態では、第１オプションユニット１７Ａのホルダ１１１と、第２オプションユニット１７Ｂのホルダ１３８）間の距離と同等になっている。なお、脚部２０２の断面視形状は、適宜変更可能である。例えば、脚部２０２は、ホルダ１１１の内径に合わせた円形状であってもよい。
【００６７】
サブオプション２００は、隣り合うホルダ１１１，１３８内に各脚部２０２が差し込まれることで、各オプションユニット１７Ａ，１７Ｂ間を跨るように配置される。
【００６８】
このように、本実施形態では、オプションユニット１７Ａ，１７Ｂを利用して異なるオプションユニット（サブオプション２００）を取り付けることができる。これにより、利便性を向上させることができる。なお、本実施形態では、隣り合うオプションユニット１７Ａ，１７Ｂに跨ってサブオプション２００が取り付けられる構成について説明したが、この構成に限られない。一つのオプションユニット１７Ａ，１７Ｂに対して一つのサブオプションが取り付けられる構成であってもよい。
【００６９】
（第３実施形態）
図１０は、第３実施形態に係る連結椅子１０の斜視図である。本実施形態では、オプションユニット３０１として回動式のトレーが取り付けられる点で上述した実施形態と相違している。
図１０に示すオプションユニット３０１は、取付ブラケット（支持部材）３１０と、トレー支持片（支持部材）３１１と、トレー本体（物品支持部）３１２と、を備えている。
【００７０】
取付ブラケット３１０は、平面視において前方に開口するＣ字状に形成されている。具体的に、取付ブラケット３１０は、左右延在部３２１と、第１屈曲片３２２と、第２屈曲片３２３と、を備えている。
左右延在部３２１は、背裏板７１の後方を左右方向に延在している。
【００７１】
第１屈曲片３２２は、左右延在部３２１における左右両端部から前方に突出している。第１屈曲片３２２は、隣り合う椅子ユニット１１の背裏板７１同士の間の第２隙間Ｓ２（図６参照）内に進入している。
第２屈曲片３２３は、第１屈曲片３２２の前端縁から左右方向の内側に屈曲して形成されている。第２屈曲片３２３は、同一の椅子ユニット１１における背裏板７１と背パッド７２との間の第１隙間Ｓ１（図６参照）内に進入している。すなわち、本実施形態の取付ブラケット３１０は、同一の椅子ユニット１１の背裏板７１を前後方向で挟み込むようにして、椅子ユニット１１に取り付けられている。
【００７２】
トレー支持片３１１は、取付ブラケット３１０における左右両端部から後方に突出している。
トレー本体３１２は、トレー支持片３１１間に架け渡された状態で、左右方向に沿う軸線回りに回動可能に構成されている。トレー本体３１２は、平板状に形成されている。トレー本体３１２は、弁当や飲料容器等の物品を載置可能な載置面３１２ａを有している。トレー本体３１２は、載置面３１２ａが上方を向く使用状態と、載置面３１２ａが前方を向く跳ね上げ状態と、の間を回動する。なお、トレー支持片３１１とトレー本体３１２との間には、使用状態や跳ね上げ状態での位置決めを行う回動機構が設けられている。
【００７３】
本実施形態のオプションユニット３０１は、以下のように組み付けられる。すなわち、同一の椅子ユニット１１における第１隙間Ｓ１内に第２屈曲片３２３を進入させるとともに、隣り合う椅子ユニット１１の背裏板７１同士の間の第２隙間Ｓ２内に第１屈曲片３２２を進入させるように、取付ブラケット３１０を椅子ユニット１１の上方から差し込む。その後、取付ブラケット３１０が背凭れブラケット２２に上方から近接又は当接する位置まで、オプションユニット３０１を下方に押し込む。
【００７４】
これにより、取付ブラケット３１０のうち、第２屈曲片３２３が椅子ユニット１１の背裏板７１と背パッド７２との間に前後方向で挟持され、かつ第１屈曲片３２２が隣り合う椅子ユニット１１の背裏板７１間に左右方向で挟持された状態で、オプションユニット３０１が取り付けられる。
【００７５】
（その他の変形例）
以上、本発明の好ましい実施形態を説明したが、本発明はこれら実施形態に限定されることはない。本発明の趣旨を逸脱しない範囲で、構成の付加、省略、置換、及びその他の変更が可能である。本発明は上述した説明によって限定されることはなく、添付の特許請求の範囲によってのみ限定される。
例えば、図１１に示すステー１１０のように、突出片１２１のうち、背裏板７１よりも後方に位置する部分に、挟持片３５０を備える構成としてもよい。挟持片３５０は、背裏板７１を間に挟んで差込片１２０に前後方向で対向している。
この構成によれば、差込片１２０と挟持片３５０との間に背裏板７１を挟持することで、オプションユニット１７Ａをより安定して取り付けることができる。
【００７６】
上述した実施形態では、背裏板７１と背パッド７２との間に差込片１２０が挟持される構成について説明したが、差込片１２０を有さない構成であってもよい。例えば図１２に示すステー１１０のように、突出片（第１部位）１２１が第２隙間Ｓ２内において、隣り合う椅子ユニット１１の背裏板（起立部材、対向部材）７１同士の間に挟持されて係合される構成であってもよい。
また、図１３に示すように、差込片３６０は、突出片１２１の前端部から左右両側に分岐する構成であってもよい。すなわち、差込片３６０における左右両端部が、隣り合う椅子ユニット１１における背裏板７１及び背パッド７２との間に前後方向で挟持される構成であってもよい。
【００７７】
上述した実施形態では、背裏板７１及び背パッド７２の間に差込片１２０が挟持される構成について説明したが、この構成に限られない。オプションユニットは、上下方向に延びるとともに互いに対向する起立部材及び対向部材の間に挟持されて係合される構成であればよい。
上述した実施形態では、下方規制部として背凭れブラケット２２が脚フレーム２１に接続された構成について説明したが、この構成に限られない。背凭れブラケット２２とは別に下方規制部を背裏板７１等に設けてもよい。但し、下方規制部は、必須の構成ではない。
上述した実施形態では、起立部材が脚体１４と背裏板７１とを備える構成について説明したが、この構成に限られない。背裏板７１の下端縁が床面Ｆに当接することによって、背裏板７１が床面Ｆに直接支持されていてもよい。
【００７８】
上述した実施形態では、オプションユニットとしてカップホルダやトレーを例にして説明したが、この構成に限られない。例えば、照明装置等をオプションユニットに採用してもよい。
上述した実施形態では、本発明に係る什器として、連結椅子１０（椅子ユニット１１）を例にして説明したが、この構成に限られない。例えば、パーティションやキャビネット、デスク等に本発明に係る構成を採用してもよい。
【００７９】
その他、本発明の趣旨を逸脱しない範囲で、上述した実施形態における構成要素を周知の構成要素に置き換えることは適宜可能であり、また、上述した各変形例を適宜組み合わせてもよい。
【符号の説明】
【００８０】
１０…連結椅子（什器）  
１４…脚体（起立部材）
１４Ａ…中間脚体（起立部材）
１４Ｂ…端部脚体（起立部材）
１７Ａ…第１オプションユニット（オプションユニット）
１７Ｂ…第２オプションユニット（オプションユニット）
２１…脚フレーム（支持構造体）
２２…背凭れブラケット（下方規制部）
７１…背裏板（起立部材、対向部材、隣接部材）
７２…背パッド（対向部材）
８１…背凭れフレーム（芯材）
８２…クッション材（押圧部材）
１１０…ステー（支持部材）
１１１…ホルダ（物品支持部）
１２０…差込片（第１部位）
１２１…突出片（第２部位）
１２２…ホルダ連結片（第２部位）
１３７…分岐ステー（支持部材）
１３８…ホルダ（物品支持部）
２００…サブオプション（オプションユニット）
３０１…オプションユニット
３１０…取付ブラケット（支持部材）
３１１…トレー支持片（支持部材）
３１２…トレー本体（支持部材）
【図１】
2020178931.tif 000003
【図２】
2020178931.tif 000004
【図３】
2020178931.tif 000005
【図４】
2020178931.tif 000006
【図５】
2020178931.tif 000007
【図６】
2020178931.tif 000008
【図７】
2020178931.tif 000009
【図８】
2020178931.tif 000010
【図９】
2020178931.tif 000011
【図１０】
2020178931.tif 000012
【図１１】
2020178931.tif 000013
【図１２】
2020178931.tif 000014
【図１３】
2020178931.tif 000015